(57)【要約】【課題】枕木の着脱を短時間に確実に終了し得る枕木の固定装置を提供する。【解決手段】側面視で断面台形形状の枕木６を支持する枕木支持部材６ａに固定され、枕木６の両端部をそれぞれ前後及び横方向から受ける端部受部材１と、端部受部材１内の前後に設けられ、枕木６の前面及び後面に対向する前後パッド２と、端部受部材１の側端に介在され、枕木６端部の側端面に当接する側端受パッド４とを備えた枕木の固定装置である。【選択図】  図１
2005016146.tif 000002
【特許請求の範囲】
【請求項１】
側面視で断面台形形状の枕木を支持する枕木支持部材に固定され、枕木の両端部をそれぞれ前後及び横方向から受ける端部受部材と、
前記端部受部材内の前後に設けられ、枕木端部の前面及び後面にそれぞれ対向する前後パッドと、
前記端部受部材内の側端に介在され、枕木端部の側端面に当接する側端受パッドとを備えたことを特徴とする枕木の固定装置。
【請求項２】
前記端部受部材内の前後に楔パッドを介在したことを特徴とする請求項１に記載の枕木の固定装置。
【請求項３】
前記前後パッドが、その内側面に横方向に延びる溝及び突条が交互に連続形成されており、前記楔パッドが、その外側面に前記前後パッドの溝及び突条に嵌り合う溝及び突条が交互に連続形成されており、この楔パッドを横方向にずらして取り外すことを可能としたことを特徴とする請求項１又は２に記載の枕木の固定装置。
【請求項４】
前記前後パッドは、異なる厚さ寸法に設定されていることを特徴とする請求項１〜３のいずれか一項に記載の枕木の固定装置。
【請求項５】
前記端部受部材と前記側端受パッドとの間に横方向における枕木の位置を調整するための調整部材を設けたことを特徴とする請求項１〜４のいずれか一項に記載の枕木の固定装置。
【発明の詳細な説明】
【０００１】
【発明の属する技術分野】
本発明は、鉄道施設の改良・保線などの工事に用いられる枕木の固定装置に関する。
【０００２】
【従来の技術】
従来の枕木の固定装置としては、例えばバラスト道床やコンクリート道床によって枕木を固定するものが開示されている（例えば、非特許文献１参照）。
【０００３】
【非特許文献１】
三浦裕二  宮田弘之介著，「土木施工」，実教出版，平成１０年２月２５日，ｐ．２４７−ｐ．２４８
【０００４】
【発明が解決しようとする課題】
ところで、線路の改良・保線工事は、道路工事と異なり、終列車が通過してから始発列車までの短い時間に行う必要があるという特殊性を有している。
しかしながら、従来の枕木の固定装置では、構造上、枕木の着脱や部品の交換を迅速かつ容易に行うことができないため、それらの作業を短時間に確実に終了させることは実際上かなり困難となり、工事費・維持費の増大や工期を長期化させることにつながってしまう。
そこで、本発明の課題は、枕木の着脱作業や部品の交換作業を短時間に確実に終了させることができる枕木の固定装置を提供することにある。
【０００５】
【課題を解決するための手段】
上記課題を解決するため、本発明に係る枕木の固定装置は、側面視で断面台形形状の枕木を支持する枕木支持部材に固定され、枕木の両端部をそれぞれ前後及び横方向から受ける端部受部材と、端部受部材内の前後に設けられ、枕木端部の前面及び後面にそれぞれ対向する前後パッドと、端部受部材内の側端に介在され、枕木端部の側端面に当接する側端受パッドとを備えたことを特徴としている。
【０００６】
このような枕木の固定装置によれば、端部受部材及び側端受パッドを備えたので、枕木を側端受パッドによって端部受部材に固定できることになり、枕木の着脱や部品の交換を迅速かつ容易に行うことが可能となる。
したがって、枕木の着脱作業や部品の交換作業を短時間に確実に終了させることができることになり、これにより、工事費・維持費の低減効果や工期の短縮効果が得られることになる。
【０００７】
このような技術的手段において、枕木の着脱や部品の交換をより迅速かつ容易に行うようにする観点からすれば、端部受部材内の前後に楔パッドを介在したことが好ましい。
【０００８】
また、楔パッドを容易に取り付けられるようにして、枕木の着脱や部品の交換をより一層迅速かつ容易に行うようにする観点からすれば、前後パッドが、その内側面に横方向に延びる溝及び突条が交互に連続形成されており、楔パッドが、その外側面に前後パッドの溝及び突条に嵌り合う溝及び突条が交互に連続形成されており、この楔パッドを横方向にずらして取り外すことを可能としたことが好ましい。
【０００９】
さらに、異なる厚さ寸法の楔パッドを容易に取り付けられるようにして、枕木の高さの調整をも迅速かつ容易に行うようにする観点からすれば、前後パッドは、異なる厚さ寸法に設定されていることが好ましい。
【００１０】
さらにまた、端部受部材と枕木との隙間寸法を容易に可変設定し得るようにして、枕木の平面位置の調整をも迅速かつ容易に行うようにする観点からすれば、端部受部材と側端受パッドとの間に横方向における枕木の位置を調整するための調整部材を設けたことが好ましい。
【００１１】
【発明の実施の形態】
以下、添付図面に基づいて本発明の実施の形態を詳細に説明する。
【００１２】
なお、ここでは、線路の改良・保線工事に用いられる場合について説明するが、これに限られるものではない。すなわち、本発明は、線路の新設工事に用いられる場合でも、適用可能である。
【００１３】
図１は本発明の一実施の形態に係る枕木の固定装置の全体構成を示す斜視図、図２は同枕木の固定装置の全体構成を示す横断面図、図３は同枕木の固定装置の全体構成を示す縦断面図である。
【００１４】
本実施の形態において、枕木の固定装置は、図１〜図３に示すように、枕木支持部材たる枕木受桁６ａによって支持されている側面視で断面台形形状のＰＣ枕木６を枕木受桁６ａに対して固定する役割を果たすものとして構成されている。
【００１５】
換言すれば、この枕木の固定装置は、列車荷重による横圧・温度等による水平力・ＰＣ枕木６の抜け出しに対して抵抗する役割を果たすものとして構成されている。
【００１６】
ここで、枕木受桁６ａは、図示しないが、一対の主桁たる工事桁の間で横方向に架設されており、ＰＣ枕木６を下から受けて支持する役割を果たしている。
【００１７】
そして、図２及び図３に示すように、この枕木受桁６ａの上にカントを調整するための台座６ｂが設けられており、加えて、これらの図に示すように、ＰＣ枕木６の下面と台座６ｂの上面との間に支持パッド６ｃが設けられている。
【００１８】
ここで、台座６ｂは、樹脂モルタル又は無収縮モルタルからなっている。また、支持パッド６ｃは、弾性材料であるゴムからなっている。
【００１９】
つまり、ＰＣ枕木６は、枕木受桁６ａ、台座６ｂ及び支持パッド６ｃによって緩衝可能に支持されている。そして、ＰＣ枕木６は、支持パッド６ｃの厚さ寸法や枚数を適宜調整することにより、高さを可変調整することが可能となっている（図１及び図３参照）。
【００２０】
そして、本実施の形態における枕木の固定装置は、図１〜図３に示すように、鋼製端部受枠１と、前後パッド２と、楔パッド３と、側端受パッド４と、調整部材たる調整鋼板５とを備えたものとして構成されている。
【００２１】
以下、これらの各構成要素についてさらに詳細に説明する。
【００２２】
（１）鋼製端部受枠１
鋼製端部受枠１は、図１〜図３に示すように、ＰＣ枕木６の両端部をそれぞれ横三方向から受けるために用いられるものとして構成されている。そして、鋼製端部受枠１は、図１に示すように、ＰＣ枕木６の両端部をそれぞれ平面視コ字形形状に囲むように枕木受桁６ａに固定されているものとして構成されている。
【００２３】
すなわち、このような鋼製端部受枠１によれば、後記する前後パッド２、楔パッド３及び側端受パッド４を用いることにより、ＰＣ枕木６を枕木受桁６ａに固定することが可能となっている。
【００２４】
具体的には、この鋼製端部受枠１は、図１に示すように、ＰＣ枕木６の前端側及び後端側に位置する足元にボルト孔が設けられた取り付け板１ａをそれぞれ有している。そして、この鋼製端部受枠１は、同図に示すように、取り付け板１ａが枕木受桁６ａにボルト接合されることで枕木受桁６ａに固定されている。
【００２５】
（２）前後パッド２・楔パッド３
前後パッド２は、図３に示すように、鋼製端部受枠１内の前後に設けられており、ＰＣ枕木６端部の前面及び後面にそれぞれ対向するものとして構成されている。
【００２６】
具体的には、前後パッド２は、図１及び図３に示すように、鋼製端部受枠１内の外側に配されており、薄板状で突条付きのパッドである。
【００２７】
一方、楔パッド３は、図３に示すように、鋼製端部受枠１内の前後に介在されているものとして構成されている。
【００２８】
具体的には、楔パッド３は、図１及び図３に示すように、鋼製端部受枠１内の内側に配されており、断面楔形形状で突条付きのパッドである。
【００２９】
前後パッド２１は、これらの図に示すように、鋼製端部受枠１の内周面に接着剤によって固定されている。そして、この前後パッド２１は、これらの図に示すように、その内側面に横方向に延びる溝及び突条が交互に連続形成されている。
【００３０】
一方、楔パッド３は、図３に示すように、ＰＣ枕木６の前面及び後面にそれぞれ押し付けられている。そして、この楔パッド３は、図１及び図３に示すように、その外側面に前後パッドの溝及び突条に嵌り合う溝及び突条が交互に連続形成されている。
【００３１】
そして、前後パッド２は、図１に示すように、楔パッド３を横方向にずらして取り外すことを可能としたものとして構成されている。
【００３２】
すなわち、このような前後パッド２によれば、楔パッド３を横方向にずらして取り外すことにより、ＰＣ枕木６の着脱や部品の交換を迅速かつ容易に行うことが可能となっている（図１参照）。
【００３３】
ここで、前後パッド２は、異なる厚さ寸法に設定されている。
【００３４】
換言すれば、前後パッド２は、図３に示すように、楔パッド３を取り外して、取り外した楔パッド３と異なる厚さ寸法の楔パッド３を取り付けることを可能としている。
【００３５】
これにより、異なる厚さ寸法の楔パッド３を容易に取り付けられることになり、併せて支持パッド６ｃの厚さ寸法や枚数を調整することにより、ＰＣ枕木６の高さの調整もが迅速かつ容易に行えることになっている。
【００３６】
また、前後パッド２は、弾性材料であるゴムからなっている。
【００３７】
つまり、前後パッド２は、ＰＣ枕木６を鋼製端部受枠１に緩衝可能に固定する役割を果たすものとして構成されている。
【００３８】
（３）側端受パッド４
側端受パッド４は、図１及び図２に示すように、鋼製端部受枠１の側端に介在されており、ＰＣ枕木６端部の側端面に当接するものとして構成されている。
【００３９】
ここで、側端受パッド４は、弾性材料であるゴムからなっている。
【００４０】
つまり、側端受パッド４は、ＰＣ枕木６を鋼製端部受枠１に緩衝可能に固定する役割を果たすものとして構成されている。
具体的には、側端受パッド４は、図１及び図２に示すように、鋼板５ａに接着剤を介して固定されており、鋼板５ａとともに鋼製端部受枠１の側端に介在されている。
【００４１】
（４）調整鋼板５
調整鋼板５は、図１及び図２に示すように、鋼製端部受枠１と側端受パッド４との間に横方向におけるＰＣ枕木６の位置を調整するために用いられるものとして構成されている。
【００４２】
すなわち、このような調整鋼板５によれば、鋼製端部受枠１とＰＣ枕木６との隙間寸法を容易に可変設定し得ることになり、これにより、ＰＣ枕木６の平面位置の調整もが迅速かつ容易に行えることになっている。
【００４３】
上記したように、このような枕木の固定装置によれば、鋼製端部受枠１、前後パッド２、楔パッド３及び側端受パッド４を備えているので、ＰＣ枕木６をこれらのパッドによって鋼製端部受枠１に固定できることになっており、ＰＣ枕木６の着脱や部品の交換を迅速かつ容易に行うことが可能となっている。
【００４４】
したがって、ＰＣ枕木６の着脱作業や部品の交換作業を短時間に確実に終了させることができることになっており、これにより、工事費・維持費の低減効果や工期の短縮効果が得られることになっている。
【００４５】
【発明の効果】
本発明に係る枕木の固定装置によれば、ＰＣ枕木の着脱作業や部品の交換作業を短時間に確実に終了させることができ、工事費・維持費の低減効果や工期の短縮効果が得られることになる。
【図面の簡単な説明】
【図１】本発明の一実施の形態に係る枕木の固定装置の全体構成を示す斜視図である。
【図２】本発明の一実施の形態に係る枕木の固定装置の全体構成を示す横断面図である。
【図３】本発明の一実施の形態に係る枕木の固定装置の全体構成を示す縦断面図である。
【符号の説明】
１  鋼製端部受枠
１ａ  取り付け板
２  前後パッド
３  楔パッド
４  側端受パッド
５  調整鋼板
５ａ  鋼板
６  ＰＣ枕木
６ａ  枕木受桁
６ｂ  台座
６ｃ  支持パッド
【図１】
2005016146.tif 000003
【図２】
2005016146.tif 000004
【図３】
2005016146.tif 000005